(57)【要約】【課題】構造簡易にして、略平板状に折畳み収納可能で、携帯性に優れた頭部保護具を提供する。【解決手段】一側ケース本体２と他側ケース本体３とをヒンジ部４により開閉自在に設けると共に、開成状態で帽子を構成する合成樹脂製のケース１と、ケース１の外側に設けられヒンジ部４を補強する補強部１５とを備える。これにより合成樹脂製の一側及び他側ケース本体２，３を被り、頭部を保護することができ、補強部１５によりヒンジ部４を補強して衝撃に強い帽子が得られる。そして、ケース１を閉じると薄型になり、鞄に収納したり、書類と一緒に携帯したりするのに適したものとなる。また、開成状態のケース１の内面側に配置するクッション材２１を備え、閉成状態のケース１内にクッション材２１が収納可能であるから、クッション材２１により衝撃吸収効果が得られる。【選択図】図３
0003176826.tif 000002
【実用新案登録請求の範囲】
【請求項１】
頭部被覆用の一側ケース本体と頭部被覆用の他側ケース本体とをヒンジ部により開閉自在に設けると共に、開成状態で帽子を構成する合成樹脂製のケースと、
前記ケースの外側に設けられ前記ヒンジ部を補強する補強部と、
を備えることを特徴とする頭部保護具。
【請求項２】
開成状態の前記ケースの内面側に配置するクッション材を備え、閉成状態の前記ケース内に前記クッション材が収納可能であることを特徴とする請求項１記載の頭部保護具。
【請求項３】
前記ケースに顎用バンドを設けたことを特徴とする請求項１又は２記載の頭部保護具。
【請求項４】
開成状態の前記ケースの内面に、着脱手段によりクッション材を着脱可能に設け、閉成状態の前記ケース内に前記クッション材が収納可能であることを特徴とする請求項３記載の頭部保護具。
【請求項５】
前記クッション材は前記ケース内に収納可能な大きさを有し、前記ケースの内面に顎用バンドの一端を連結し、この顎用バンドを挿通する挿通部を前記クッション材に設け、前記挿通部に対する顎用バンドの挿通位置を調整することにより、前記クッション材を、前記一側ケース本体と他側ケース本体の一方の内面側に配置する収納位置と、前記ヒンジ部に対応した内側に配置する使用位置とに位置調整可能に設けたことを特徴とする請求項記２記載の頭部保護具。
【請求項６】
前記一側ケース本体が前頭部被覆用であり、前記他側ケース本体が後頭部被覆用であり、
前記一側ケース本体の内面左右に一側左右の顎用バンドの一端をそれぞれ連結し、これら一側左右の顎用バンドを挿通する一側左右の挿通部を前記クッション材に設け、
前記他側ケース本体の内面左右に他側左右の顎用バンドの一端をそれぞれ連結し、これら他側左右の顎用バンドを挿通する他側左右の挿通部を前記クッション材に設け、
前記各挿通部に対する前記各顎用バンドの挿通位置を調整することにより、前記クッション材を、前記一側ケース本体と他側ケース本体の一方の内面側に配置する収納位置と、前記ヒンジ部に対応した内側に配置する使用位置とに位置調整可能に設けたことを特徴とする請求項２記載の頭部保護具。
【請求項７】
前記収納位置の前記クッション材の下面に係止する係止部を、前記顎用バンドに設けたことを特徴とする請求項５又は６記載の頭部保護具。
【請求項８】
前記クッション材の後部に、伸縮性を有する頭部用バンドの中間部を取り付け、前記頭部用バンドの一端に一方の係脱手段を設けると共に、前記一方の係脱手段に係脱可能な他方の係脱手段を前記頭部用バンドの他端に設け、前記ケースの内面には、前記頭部用バンドの一端及び他端に設けた係脱手段が係脱可能なケース側係脱手段を設けたことを特徴とする請求項５〜７のいずれか１項に記載の頭部保護具。
【請求項９】
前記一側ケース本体が前頭部被覆用であり、前記他側ケース本体が後頭部被覆用であり、
前記一側及び他側ケース本体のヒンジ部両側の角部に切欠き部を設け、開成状態で前記一側及び他側ケース本体の前記切欠き部に設ける切欠き部用覆い部材を備えることを特徴とする請求項１〜８のいずれか１項に記載の頭部保護具。
【請求項１０】
前記ケースの内面に飛散防止用のシートを貼設し、このシートがクッション層を有することを特徴とする請求項１〜９のいずれか１項に記載の頭部保護具。
【請求項１１】
前記ケースが国際標準化機構の規格で定められたＡ４サイズの書類を収納可能な大きさであることを特徴とする請求項１〜１０のいずれか１項に記載の頭部保護具。
【考案の詳細な説明】
【技術分野】
【０００１】
本考案は、緊急非難時などに頭部を保護する頭部保護具に関する。
【背景技術】
【０００２】
従来、この種のものとして、頭部を保護するヘルメット（例えば特許文献１）が知られているが、日常生活で携帯するには不向きであり、緊急時の使用には適さないという問題がある。
【０００３】
このような問題を考慮して、平板状態で形状が安定する部材で成形された前頭被覆用の前側弾性平板と、平板状態で形状が安定する部材で成形された後頭被覆用の後側弾性平板とを有し、前記前側弾性平板の後辺部と前記後側弾性平板の前辺部は、折曲げ部で連結され、前記前側弾性平板と前記後側弾性平板とが弾性力により平板状態となると共に、前記折曲げ部で折り曲げられることにより扁平状態になる一方、前記折曲げ部の両側頭に対面する個所を、互いに接近させることにより、前記前側弾性平板と前記後側弾性平板とを平板状態から弾性力に抗して湾曲状態として前記折曲げ部を介して展開状態とし、該展開状態を保持する展開状態保持手段を備えたことを特徴とする折畳み式帽子（例えば特許文献２）が提案され、この折畳み帽子では、前記前側弾性平板と前記後側弾性平板とを平板状態から弾性力に抗して湾曲状態として前記折曲げ部を介して展開状態とし、該展開状態を保持する展開状態保持手段を備えたため、前記保持手段の保持機能により展開状態に保持され、該保持機能が解除されたときには平板状態で形状が安定する部材の特性により自然に二つ折りの扁平な形にされる折畳み式の、危険を避けるのに向いている帽子を容易に提供できる。
【先行技術文献】
【特許文献】
【０００４】
【特許文献１】特開平０９−３１０２１８号公報
【特許文献２】特開２００９−１９１４１０公報
【考案の開示】
【考案が解決しようとする課題】
【０００５】
上記折畳み式帽子では、収納時には扁平な形に折畳むことができるが、そのために弾性力により平板状態前記前側弾性平板と前記後側弾性平板と、前記前側弾性平板と前記後側弾性平板とを平板状態から弾性力に抗して湾曲状態として前記折曲げ部を介して展開状態とし、該展開状態を保持する展開状態保持手段とが必要となり、構造が複雑になると共に、製造工程が増加し、製造コストが掛かる問題がある。
【０００６】
そこで、本考案は、上記問題点を解決するものであり、構造簡易にして、略平板状に折畳み収納可能で、携帯性に優れた頭部保護具を提供することを目的とする。
【課題を解決するための手段】
【０００７】
請求項１の考案は、頭部被覆用の一側ケース本体と頭部被覆用の他側ケース本体とをヒンジ部により開閉自在に設けると共に、開成状態で帽子を構成する合成樹脂製のケースと、前記ケースの外側に設けられ前記ヒンジ部を補強する補強部と、を備えることを特徴とする。
【０００８】
請求項１の考案によれば、合成樹脂製の一側及び他側ケース本体を被り、頭部を保護することができ、補強部によりヒンジ部を補強して衝撃に強い帽子が得られる。そして、ケースを閉じると薄型になり、鞄に収納したり、書類と一緒に携帯したりするのに適したものとなる。
【０００９】
請求項２の考案は、開成状態の前記ケースの内面側に配置するクッション材を備え、閉成状態の前記ケース内に前記クッション材が収納可能であることを特徴とする。
【００１０】
請求項２の考案によれば、クッション材により衝撃吸収効果が得られ、また、クッション材を収納した状態で、鞄に収納したり、書類と一緒に携帯したりできる。
【００１１】
請求項３の考案は、前記ケースに顎用バンドを設けたことを特徴とする。
【００１２】
請求項３の考案によれば、顎用バンドにより安定して装着することができる。
【００１３】
請求項４の考案は、開成状態の前記ケースの内面に、着脱手段によりクッション材を着脱可能に設け、閉成状態の前記ケース内に前記クッション材が収納可能であることを特徴とする。
【００１４】
請求項４の考案によれば、着脱手段によりケースの内面にクッション材を取り付けて被ることができ、また、外したクッション材を収納した状態で、鞄に収納したり、書類と一緒に携帯したりできる。
【００１５】
請求項５の考案は、前記クッション材は前記ケース内に収納可能な大きさを有し、前記ケースの内面に顎用バンドの一端を連結し、この顎用バンドを挿通する挿通部を前記クッション材に設け、前記挿通部に対する顎用バンドの挿通位置を調整することにより、前記クッション材を、前記一側ケース本体と他側ケース本体の一方の内面側に配置する収納位置と、前記ヒンジ部に対応した内側に配置する使用位置とに位置調整可能に設けたことを特徴とする。
【００１６】
請求項５の考案によれば、携帯時等にはクッション材をケース内に収納し、使用時には、顎用バンドの挿通部の位置を調整することにより、クッション材をヒンジ部に対応した位置に配置することができ、収納時及び使用時ともにクッション材は顎用バンドに挿通状態で連結されているため、使い勝手に優れたものとなる。
【００１７】
請求項６の考案は、前記一側ケース本体が前頭部被覆用であり、前記他側ケース本体が後頭部被覆用であり、前記一側ケース本体の内面左右に一側左右の顎用バンドの一端をそれぞれ連結し、これら一側左右の顎用バンドを挿通する一側左右の挿通部を前記クッション材に設け、前記他側ケース本体の内面左右に他側左右の顎用バンドの一端をそれぞれ連結し、これら他側左右の顎用バンドを挿通する他側左右の挿通部を前記クッション材に設け、前記各挿通部に対する前記各顎用バンドの挿通位置を調整することにより、前記クッション材を、前記一側ケース本体と他側ケース本体の一方の内面側に配置する収納位置と、前記ヒンジ部に対応した内側に配置する使用位置とに位置調整可能に設けたことを特徴とする。
【００１８】
請求項６の考案によれば、一側ケース本体を前側、他側ケース本体を後側にして被ることができ、しかも、４本の顎用バンドにより装着性に優れたものとなる。また、携帯時等にはクッション材をケース内に収納し、使用時には、顎用バンドの挿通部の位置を調整することにより、クッション材をヒンジ部に対応した位置に配置することができ、収納時及び使用時ともにクッション材は顎用バンドに連結されているため、使い勝手に優れたものとなる。
【００１９】
請求項７の考案は、前記収納位置の前記クッション材の下面に係止する係止部を、前記顎用バンドに設けたことを特徴とする。
【００２０】
請求項７の考案によれば、顎用バンドを引っ張って、係止部をクッション材の下面に係止した状態で、クッション材をケース内に配置することにより、クッション材を円滑に収納することができる。
【００２１】
請求項８の考案は、前記クッション材の後部に、伸縮性を有する頭部用バンドの中間部を取り付け、前記頭部用バンドの一端に一方の係脱手段を設けると共に、前記一方の係脱手段に係脱可能な他方の係脱手段を前記頭部用バンドの他端に設け、前記ケースの内面には、前記頭部用バンドの一端及び他端に設けた係脱手段が係脱可能なケース側係脱手段を設けたことを特徴とする。
【００２２】
請求項８の考案によれば、使用時には、一方と他方の係脱手段を額の前で係止し、頭部用バンドを頭に巻いて装着し、一方、収納時にはケース内面の係脱手段に、頭部用バンドの係脱手段を係止して該頭部用バンドを収納することできる。
【００２３】
請求項９の考案は、前記一側ケース本体が前頭部被覆用であり、前記他側ケース本体が後頭部被覆用であり、前記一側及び他側ケース本体のヒンジ部両側の角部に切欠き部を設け、開成状態で前記一側及び他側ケース本体の前記切欠き部に設ける切欠き部用覆い部材を備えることを特徴とする。
【００２４】
請求項９の考案によれば、切欠き部を覆い部材により覆うことができ、また、覆い部材により、左右斜め上からの衝撃に対応することができる。
【００２５】
請求項１０の考案は、前記ケースの内面に飛散防止用のシートを貼設し、このシート材がクッション層を有することを特徴とする。
【００２６】
請求項１０の考案によれば、仮にケースが割れても飛散することがなく、しかも、そのクッション層により衝撃力を緩和できる。
【００２７】
請求項１１の考案は、前記ケースが国際標準化機構の規格で定められたＡ４サイズの書類を収納可能な大きさであることを特徴とする。
【００２８】
請求項１１の考案によれば、より一層携帯性に優れたものとなる。
【考案の効果】
【００２９】
本考案によれば、構造簡易にして、略平板状に折畳み収納可能で、携帯性に優れた頭部保護具を提供することができる。
【図面の簡単な説明】
【００３０】
【図１】本考案の実施例１を示す開成状態の斜視図であり、クッション材が収納位置にある状態を示す。
【図２】同上、開成状態の斜視図であり、クッション材が使用位置にある状態を示す。
【図３】同上、使用状態を示す斜視図である。
【図４】同上、ヒンジ部及び補強部の分解斜視図である。
【図５】同上、ヒンジ部に補強部を設けた状態の断面図であり、図５（Ａ）は収納状態、図５（Ｂ）は使用状態を示す。
【図６】同上、クッション材の拡大断面図であり、弾性突起が中空円筒状のものを示す。
【図７】同上、クッション材の拡大断面図であり、弾性突起が中実円筒状のものを示す。
【図８】同上、クッション材及び顎当ての底面図であり、図８（Ａ）はクッション材、図８（Ｂ）は顎当てを示す。
【図９】同上、ケースを開成下状態でクッション材の使用方法を説明する説明図であり、図９（Ａ）は使用位置、図９（Ｂ）は収納位置を示す。
【図１０】同上、頭部バンドの平面説明図である。
【図１１】同上、ケースの角部を示し、図１１（Ａ）は斜視図、図１１（Ｂ）は係止突起と係止孔の係止状態を示す断面図である。
【図１２】同上、飛散防止シートを貼設したケースの拡大断面図である。
【図１３】本考案の実施例２を示すヒンジ部の内側に補強部を設けた状態の断面図であり、図５（Ａ）は収納状態、図５（Ｂ）は使用状態を示す。
【図１４】本考案の実施例３を示す収納状態の斜視図である。
【図１５】同上、開成状態の斜視図である。
【図１６】同上、使用状態を示す斜視図である。
【図１７】本考案の実施例４を示す一側及び他側ケースを１８０度開いた状態の底面図である。
【図１８】本考案の実施例５を示す一側及び他側ケースを１８０度開いた状態の平面図である。
【図１９】同上、角部の側面図である。
【図２０】本考案の実施例６を示すクッション材の平面図である。
【図２１】本考案の実施例７を示す開成状態の斜視図である。
【考案を実施するための形態】
【００３１】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な頭部保護具を採用することにより、従来にない頭部保護具が得られ、その頭部保護具について記述する。
【実施例１】
【００３２】
以下、本考案の実施例を添付図面を参照して説明する。図１〜図１２は本考案の実施例１を示し、同図に示すように、頭部保護具は、帽子を構成する硬質合成樹脂製のケース１を備え、このケース１は、例えば薄型の書類収納ケースであって、国際標準化機構の規格で定められたＡ４サイズの書類が収納可能で、厚さは３０ｍｍ以下、特に１５〜２０ｍｍなものが好ましい。また、前記硬質合成樹脂としては、ポリカーボネートなどが例示される。また、以下、全ての実施例のケースにおいても、同様である。
【００３３】
前記ケース１は、略長方形形状をなす一側ケース本体２と他側ケース本体３とをヒンジ部４により連結して開閉自在に設けたものであり、ヒンジ部４はケース本体２，３の長さ方向の縁に設けられ、それら一側ケース本体２と他側ケース本体３の角度が約９０度になるように開成した状態で、頭部を覆う帽子となる。前記一側及びケース本体２，３は、Ａ４サイズより大きな主板部１１と、この主板部１１の周囲に設けた四方の側板部１２Ｌ，１２Ｓとをそれぞれ一体に備え、内部に収納空間５を有し、長手方向の一方の側板部１２Ｌ，１２Ｌ同士を薄肉部たる前記ヒンジ部４により連結している。一方、ケース１を閉じた状態で、長手方向の他方の側板部１２Ｌ，１２Ｌ同士は、図示しないロック手段により閉成状態が保持され、ロック手段として、側板部１２Ｌ，１２Ｌに係脱可能な凹係合部，凸係合部（図示せず）を設けている。尚、ロック手段を解除すれば、ケース１を開くことができる。
【００３４】
図４に示すように、ヒンジ部４側の主板部１１と側板部１２Ｌとの角部に凹部１３を連続形成し、この凹部１３内に所定間隔で取付受け部たる突起１４を突設する。一方、前記ヒンジ部４を覆う略Ｕ字状の外側の補強部１５を備え、この補強部１５はケース１の長手方向とほぼ同一長さを有し、湾曲状の覆い部１６と、この覆い部１６の両端に設けた端縁部１７，１７とを一体に備え、合成樹脂などからなり、覆い部１６は、両側の端縁部１７，１７を略９０度開くことが可能な弾性を有し、その端縁部１７に前記突起１４を挿入する挿入孔１８が前記突起１４に対応して穿設されている。そして、この挿入孔１８に突起１４を挿入することにより、ケース１のヒンジ部４側に補強部１５が設けられる。尚、補強部１５をバネ性を有する金属板から形成してもよい。そして、補強部１５は、ヒンジ部４より上方で湾曲状の覆い部１６を備えるから、衝撃を受けると覆い部１６が弾性変形することにより、衝撃緩衝効果を得ることができる。
【００３５】
前記ケース１は、略９０度に開いた状態で、頭部に装着される。このため開閉角度設定手段を備える。この例では、開閉角度設定手段は、帯などからなる可撓性を有する連結体１９を用いており、ケース１の内面側で、ヒンジ部４を挟んだ一側及び他側ケース本体２，３の内面に前記連結体１９の端部をそれぞれ固定してなり、ケース１を略９０度開いた状態で、角度規制連結体１９が真直ぐになってそれ以上ケース１が開くことがない。尚、連結体１９はヒンジ部４の長さ方向に複数（２箇所）設けられている。
【００３６】
頭部保護具は、シート状のクッション材２１を備える。図６に示すように、前記クッション材２１は、弾性を有するシート本体２２の上面に弾性突起２３を複数突設し、そのシート本体２２の下面にクッション層２４を設け、このクッション層２４はスポンジなどからなる。また、弾性突起２３は中空筒状をなす構造により、衝撃吸収力に優れる。尚、図７に示すように、弾性突起２３を中実構造にしてもよい。そして、この例のクッション材２１は、弾性突起２３とクッション層２４により、衝撃を緩和するものである。
【００３７】
この例では、前記一側ケース本体２が前頭部被覆用であり、前記他側ケース本体３が後頭部被覆用である。前記クッション材２１は、略方形形状をなし、前記ケース１内に収納可能な大きさを有し、折畳むことなく、前記一側ケース本体２の収納空間５に収納される。
【００３８】
また、一側ケース本体２の主板部１１内面の左右に前左右の顎用バンド３１L，３１Ｒの一端を連結し、他側ケース本体３の主板部１１内面の左右に後左右の顎用バンド３２L，３２Ｒの一端を連結する。尚、顎用バンド３１L，３１Ｒの一端と、後左右の顎用バンド３２L，３２Ｒの一端とは、ヒンジ部４を挟んだ対称の位置に連結されている。尚、本実施例では、バンドは布製などからなる可撓性を有するものである。
【００３９】
前記クッション材２１の前後左右には、挿通部たる前左右及び後左右の挿通孔３３Ｌ，３３Ｒ，３４Ｌ，３４Ｒが穿設されている。前記顎用バンド３１L，３１Ｒ，３２L，３２Ｒが帯状をなすのに対して、挿通孔３３Ｌ，３３Ｒ，３４Ｌ，３４Ｒは、顎用バンド３１L，３１Ｒ，３２L，３２Ｒの幅に比べて長い切込みにより形成されている。したがって、挿通孔３３Ｌ，３３Ｒ，３４Ｌ，３４Ｒに顎用バンド３１L，３１Ｒ，３２L，３２Ｒを挿通することができると共に、顎用バンド３１L，３１Ｒ，３２L，３２Ｒを引っ張ると、挿通孔３３Ｌ，３３Ｒ，３４Ｌ，３４Ｒに対して摺動する。
【００４０】
前記顎用バンド３１L，３１Ｒ，３２L，３２Ｒの他端側は、柔軟性を有するシート材からなる顎当て３５の挿通孔３５Ｓ，３５Ｓ，３５Ｓ，３５Ｓに挿通して集められ、顎用バンド３１L，３１Ｒの他端が連結部３６Ｆにおいて連結され、顎用バンド３２L，３２Ｒの他端が連結部３６Ｂにおいて連結されている。尚、顎当て３５はクッション材２１より小さく、その顎当て３５の挿通孔３５Ｓ，３５Ｓ，３５Ｓ，３５Ｓは、挿通孔３３Ｌ，３３Ｒ，３４Ｌ，３４Ｒに対応して設けられると共に、顎当て３５に設けた切欠きにより構成されている。また、顎当て３５と連結部３６Ｆとの間において、顎用バンド３１L，３１Ｒには寸法調整具３７が外装され、顎当て３５と連結部３６Ｂとの間において、顎用バンド３２L，３２Ｒには寸法調整具３７が外装されており、前記寸法調整具３７の位置を調整することにより、顎用バンド３１L，３１Ｒ，３２L，３２Ｒの使用長さを調整し、これによりバンドを締めたり緩めたりすることができる。
【００４１】
そして、挿通孔３３Ｌ，３３Ｒ，３４Ｌ，３４Ｒに対する前記顎用バンド３１L，３１Ｒ，３２L，３２Ｒの挿通位置を調整することにより、図９（Ａ）に示すように、クッション材２１を、一側ケース本体２の内面側に配置する収納位置と、図９（Ｂ）に示すように、ヒンジ部４に対応した内側に配置する使用位置とに位置調整可能であり、顎用バンド３１L，３１Ｒ，３２L，３２Ｒには、クッション材２１の下面に係止して該クッション材２１を収納位置に収納可能とする係止部が設けられており、この係止部は、顎用バンド３１L，３１Ｒ，３２L，３２Ｒに設けた結び目３８であり、この結び目３８が前記挿通孔３３Ｌ，３３Ｒ，３４Ｌ，３４Ｒに係止する。
【００４２】
前記クッション材２１の下面には、頭部当て部材４１が設けられている。この頭部当て部材４１は、略円形の頭頂部用当て部４２と、この頭頂部用当て部４２の周囲に設けるリング状のリング状当て部４３とからなり、頭頂部用当て部４２はクッション材２１の下面に全体的に取り付けられ、リング状当て部４３は後部４３Ｋのみがクッション材２１の下面に取り付けられている。尚、リング状当て部４３は球面状に湾曲形成され、頭部にフィットするようになっている。
【００４３】
また、伸縮性を有する弾性帯からなる頭部用バンド４４を備える。この頭部用バンド４４はその後部上側を前記クッション材２１の後部下面に、縫着部などにより取り付けている。また、頭部用バンド４４は、その両端に相互に係脱可能な係止手段を設け、この係止手段は面ファスナであり、一端の外面に一方の係脱手段たる面ファスナ４５を設け、他端の内外面に他方及び一方の係脱手段たる面ファスナ４５Ａ，４５を設け、また、頭部用バンド４４の一端の内面に、頭部用バンド４４より硬い板状の補強材４６が設けられている。尚、頭部用バンド４４はゴムバンドなどからなる。
【００４４】
したがって、頭部用バンド４４の両端を持って、該頭部用バンド４４を頭部に巻き付け、図３及び図１０に示すように、額の前で両端の面ファスナ４５，４５Ａを係止して取り付けることができる。この場合、頭部用バンド４４の一方の端部に補強材４６が設けられているから、その係脱を簡便に行うことができる。
【００４５】
また、一側ケース本体２の内面左右には、頭部用バンド４４の両端に設けた前記面ファスナ４５，４５が係脱可能なケース側面係脱手段たる面ファスナ４５Ａ´，４５Ａ´が設けられ、収納状態のクッション材２１の左右外側に設けられており、収納時に頭部用バンド４４の両端の面ファスナ４５，４５をケース１側の面ファスナ４５Ａ´，４５Ａ´に係止しておくことができる。
【００４６】
前記一側及び他側ケース本体２，３のヒンジ部４の両側の角部には、切欠き部５２，５３が設けられている。また、一方のケース本体である一側ケース本体２の切欠き部５２に、薄肉状のヒンジ部５４により切欠き部用覆い部材５５を一体に設けている。この覆い部材５５の形状は略直角二等辺三角形であり、中央に折畳み用の中央ヒンジ部５６を設け、この中央ヒンジ部５６は薄肉部により構成されている。また、覆い部材５５は、前記ヒンジ部５４の両側の縁に、係止孔５７が複数穿設され、これら係止孔５７に係入する係止突起５８を、一側及び他側ケース本体２，３の切欠き部５２，５３の側板部１２Ｓの内面に設けている。尚、覆い部材５５も合成樹脂などからなり、弾力性のあるものが好ましい。そして、工場などでは、一方の縁の係止孔５７に係止突起５８を係入して一側ケース本体２に覆い部材５５を連結しておき、この状態で覆い部材５５を切欠き部５２の近傍においてケース１側に折曲げ、ケース１内に折畳んで収納する。
【００４７】
一方、使用時には、ケース１を開き、他側ケース本体３の係止突起５８を係止孔５７に係入して他側ケース本体３に覆い部材５５を連結し、切欠き部５２，５３間を覆い部材５５により覆うことができる。
【００４８】
さらに、前記他側ケース本体３の反ヒンジ部４側の長手方向の側板部１２Ｌには、その内面側に反射部材たる反射布６１の上縁が取り付けられており、使用時には側板部１２Ｌから反射布６１が垂れ下がり、ライトなどにより反射し、収納時には、反射布６１を内側に折って収納することができる。
【００４９】
前記一側及び他側ケース本体２，３は透明、半透明又は不透明であり、一側ケース本体２の内面又は外面に情報表示部６２が設けられており、この情報表示部６２は住所，氏名，血液型などの使用者の情報が表示されている。この場合、情報表示部６２は、情報を記載したシートを外面に貼設して構成することができる。尚、情報表示部６２の表示側を外側に向けて一側及び他側ケース本体２，３の内面に設ける場合は、表示側を視認可能なように一側及び他側ケース本体２，３は透明、半透明とすることが好ましい。
【００５０】
前記ケース１は使用方法表示手段６３を備え、この使用方法表示手段６３を前記他側ケース本体３の内面又は外面に設けており、この使用方法表示手段６３には、頭部保護具の使用方法が記載されている。この場合、使用方法表示手段６３は、使用方法を記載したシートを内面に貼設して構成することができる。
【００５１】
図１２に示すように、前記ケース１の内面には、飛散防止用シート６４が貼設されており、この飛散防止用シート６４の外面にはクッション層６５が設けられている。したがって、仮に前記ケース１が割れても、ばらばらになって破片が発生することがない。
【００５２】
次に、前記頭部保護具の使用方法について説明する。使用者は、情報表示部６２に情報を記入し、頭部保護具を持ち歩く。この頭部保護具はＡ４サイズに対応しており、通常の鞄などに入れて携帯したり、書類と共に会議などに持ち込むことができる。尚、予め使用方法表示部材の情報を読んで、使用方法を理解又は実際に使用状態に組み立て、再度、折畳んで収納しておくことが好ましい。
【００５３】
実際の使用において、組み立て時には、ロック手段によるロックを開示すると、図１に示すように、ケース１を開くことができ、連結体１９により、一側及び他側ケース本体２，３がほぼ９０度開く。そして、覆い部材５５の係止孔５７に係止突起５８を挿入して切欠き部５２，５３を該覆い部材５５により覆う。また、クッション材２１に対して、顎用バンド３１L，３１Ｒ，３２L，３２Ｒを引っ張り、挿通孔３３Ｌ，３３Ｒ，３４Ｌ，３４Ｒの位置を調整し、図２に示すように、クッション材２１をヒンジ部４の内側に位置させる。この後、一側ケース本体２を前側にして、頭頂部用当て部４２に頭頂部を当てるようにして、ケース１を被り、ケース１の面ファスナ４５Ａ´，４５´から、面ファスナ４５，４５Ａを外した後、図３に示すように、頭部用バンド４４の面ファスナ４５，４５Ａを額の前で係止して頭部用バンド４４を頭に巻く。また、寸法調整具３７，３７を用いて顎当て部３５の位置を調整する。この場合、前左右の顎用バンド３１L，３１Ｒは耳の前側、後左右の顎用バンド３２L，３２Ｒは耳の後側に回して装着する。
【００５４】
一方、収納は、組み立て時と逆に行うことができ、顎用バンド３１L，３１Ｒ，３２L，３２Ｒに対して、クッション材２１を引っ張り、挿通孔３３Ｌ，３３Ｒ，３４Ｌ，３４Ｒの位置を調整し、この際、図９（Ｂ）に示すように後左右の顎用バンド３２L，３２Ｒの結び目３８，３８，３８，３８をクッション材２１の下面に係止することにより、クッション材２１を収納空間５に収納することができる。
【００５５】
そして、Ａ４サイズのケース１を開いて使用することにより、図３に示したように、頭部の前後左右に張り出した部分まで覆うことができ、また、顎用バンド，頭部当て部材４１及び頭部用バンド４４により安定して装着することができる。
【００５６】
このように本実施例では、請求項１に対応して、頭部被覆用の一側ケース本体２と頭部被覆用の他側ケース本体３とをヒンジ部４により開閉自在に設けると共に、開成状態で帽子を構成する合成樹脂製のケース１と、ケース１の外側に設けられヒンジ部４を補強する補強部１５とを備えるから、合成樹脂製の一側及び他側ケース本体２，３を被り、頭部を保護することができ、補強部１５によりヒンジ部４を補強して衝撃に強い帽子が得られる。そして、ケース１を閉じると薄型になり、鞄に収納したり、書類と一緒に携帯したりするのに適したものとなる。
【００５７】
また、このように本実施例では、請求項２に対応して、開成状態のケース１の内面側に配置するクッション材２１を備え、閉成状態のケース１内にクッション材２１が収納可能であるから、クッション材２１により衝撃吸収効果が得られ、また、クッション材２１を収納した状態で、鞄に収納したり、書類と一緒に携帯したりできる。
【００５８】
また、このように本実施例では、請求項３に対応して、ケース１に顎用バンド３１L，３１Ｒ，３２L，３２Ｒを設けたから、顎用バンド３１L，３１Ｒ，３２L，３２Ｒにより安定して装着することができる。
【００５９】
また、このように本実施例では、請求項５に対応して、クッション材２１はケース１内に収納可能な大きさを有し、ケース１の内面に顎用バンド３１L，３１Ｒ，３２L，３２Ｒの一端を連結し、この顎用バンド３１L，３１Ｒ，３２L，３２Ｒを挿通する挿通部たる挿通孔３３Ｌ，３３Ｒ，３４Ｌ，３４Ｒをクッション材２１に設け、挿通孔３３Ｌ，３３Ｒ，３４Ｌ，３４Ｒに対する顎用バンド３１L，３１Ｒ，３２L，３２Ｒの挿通位置を調整することにより、クッション材２１を、一側ケース本体２と他側ケース本体３の一方の内面側に配置する収納位置と、ヒンジ部４に対応した内側に配置する使用位置とに位置調整可能に設けたから、携帯時等にはクッション材２１をケース１内に収納し、使用時には、顎用バンド３１L，３１Ｒ，３２L，３２Ｒの挿通孔３３Ｌ，３３Ｒ，３４Ｌ，３４Ｒの位置を調整することにより、クッション材２１をヒンジ部４に対応した位置に配置することができ、収納時及び使用時ともにクッション材２１は顎用バンド挿通孔３３Ｌ，３３Ｒ，３４Ｌ，３４Ｒに連結されているため、使い勝手に優れたものとなる。また、クッション材２１はケース１内に収納可能な大きさを有するから、クッション材２１をケース１に収納するために二つ折りにする必要がなく、クッション材２１は折り目がない分だけ、保護効果に優れたものとなる。
【００６０】
また、このように本実施例では、請求項６に対応して、一側ケース本体２が前頭部被覆用であり、他側ケース本体３が後頭部被覆用であり、一側ケース本体２の内面左右に一側左右の顎用バンド３１L，３１Ｒの一端をそれぞれ連結し、これら一側左右の顎用バンド３１L，３１Ｒを挿通する一側左右の挿通部たる挿通孔３３Ｌ，３３Ｒをクッション材２１に設け、他側ケース本体３の内面左右に他側左右の顎用バンド３２L，３２Ｒの一端をそれぞれ連結し、これら他側左右の顎用バンド３２L，３２Ｒを挿通する他側左右の挿通部たる挿通孔３４Ｌ，３４Ｒをクッション材２１に設け、各挿通孔３３Ｌ，３３Ｒ，３４Ｌ，３４Ｒに対する各顎用バンド３１L，３１Ｒ，３２L，３２Ｒの挿通位置を調整することにより、クッション材２１を、一側ケース本体２と他側ケース本体３の一方の内面側に配置する収納位置と、ヒンジ部４に対応した内側に配置する使用位置とに位置調整可能に設けたから、一側ケース本体２を前側、他側ケース本体３を後側にして被ることができ、しかも、４本の顎用バンド３１L，３１Ｒ，３２L，３２Ｒにより装着性に優れたものとなる。また、携帯時等にはクッション材２１をケース１内に収納し、使用時には、顎用バンド３１L，３１Ｒ，３２L，３２Ｒの挿通孔３３Ｌ，３３Ｒ，３４Ｌ，３４Ｒの位置を調整することにより、クッション材２１をヒンジ部４に対応した位置に配置することができ、収納時及び使用時ともにクッション材２１は顎用バンド３１L，３１Ｒ，３２L，３２Ｒに挿通状態で連結されているため、使い勝手に優れたものとなる。
【００６１】
また、このように本実施例では、請求項７に対応して、前記収納位置のクッション材２１の下面に係止する係止部たる結び目３８を、顎用バンド３２L，３２Ｒに設けたから、顎用バンド３２L，３２Ｒを引っ張って、結び目３８をクッション材２１の下面に係止した状態で、クッション材２１をケース１内に配置することにより、クッション材２１を円滑に収納することができる。
【００６２】
また、このように本実施例では、請求項８に対応して、クッション材２１の後部に、伸縮性を有する頭部用バンド４４の中間部を取り付け、頭部用バンド４４の一端に一方の係脱手段たる面ファスナ４５を設けると共に、面ファスナ４５に係脱可能な他方の係脱手段たる面ファスナ４５Ａを頭部用バンド４４の他端に設け、ケース１の内面には、頭部用バンド４４の一端及び他端に設けた係脱手段たる面ファスナ４５，４５が係脱可能なケース側係脱手段たる面ファスナ４５Ａ´，４５Ａ´を設けたから、使用時には、面ファスナ４５，４５Ａを額の前で係止し、頭部用バンド４４を頭に巻いて装着し、一方、収納時にはケース１内面の面ファスナ４５Ａ´，４５Ａ´に、頭部用バンドの面ファスナ４５，４５を係止して該頭部用バンド４４を収納することできる。
【００６３】
尚、頭部用バンド４４の他端の外面に面ファスナ４５を設けることにより、図１に示したように、頭部用バンド４４の他端側（図１中で右側）を捻ることなく、頭部用バンド４４の内面側を上にしてケース側面ファスナ４５Ａ´に係止することができ、収納性に優れたものとなるが、頭部用バンド４４の他端の外面に面ファスナ４５を設けずに、該他端の内面に設けた面ファスナ４５Ａに係脱可能なケース側係止手段たる面ファスナを、ケース１の内面に設けてもよい。
【００６４】
また、このように本実施例では、請求項９に対応して、一側ケース本体２が前頭部被覆用であり、他側ケース本体３が後頭部被覆用であり、一側及び他側ケース本体２，３のヒンジ部４両側の角部に切欠き部５２，５３を設け、開成状態で一側及び他側ケース本体２，３の切欠き部５２，５３に設ける切欠き部用覆い部材５５を備えるから、切欠き部５２，５３を覆い部材５５により覆うことができ、また、覆い部材５５により、左右斜め上からの衝撃に対応することができる。
【００６５】
また、このように本実施例では、請求項１０に対応して、ケース１の内面に飛散防止用のシート６４を貼設し、このシート６４がクッション層６５を有するから、仮にケース１が割れても飛散することがなく、しかも、そのクッション層６５により衝撃力を緩和できる。
【００６６】
また、このように本実施例では、請求項１１に対応して、ケース１が国際標準化機構の規格で定められたＡ４サイズの書類を収納可能な大きさであるから、より一層携帯性に優れたものとなる。
【００６７】
尚、以下の全ての実施例において、補強部１５が設けられると共に、切欠き部５２、５３と覆い部材５５やシート６４を設けることができる。
【実施例２】
【００６８】
図１３は、本発明の実施例２を示し、上記実施例１と同一部分に同一符号を付し、その詳細な説明を省略して詳述する。この例の頭部保護具は、前記ヒンジ部４の内側に内側補強部６６を設けており、この補強部６６はケース１の長手方向とほぼ同一長さを有し、略Ｕ字状の折り返し部６７と、この折り返し部６７の両側に設けた縁部６８，６８とを一体に備え、合成樹脂などからなり、折り返し部６７は、両側の端縁部６８，６８を略９０度開くことが可能な弾性を有し、それら縁部６８，６８を前記一側及び他側ケース本体２，３の内面に接着等により固定している。尚、補強部６６を、バネ性を有する金属板から形成してもよい。
【００６９】
そして、一側及び他側ケース本体２，３を略９０度開くと、前記折り返し部６７が略真直ぐになって、ヒンジ部４の内側に位置し、ヒンジ部４を補強することができる。尚、補強部１５と内側の補強部６６の両者を設けるようにしてもよい。
【００７０】
このように本実施例では、上記実施例１と同様な作用・効果を奏し、また、一側ケース本体２と頭部被覆用の他側ケース本体３とをヒンジ部４により開閉自在に設けると共に、開成状態で帽子を構成する合成樹脂製のケース１と、ケース１の内側に設けられヒンジ部４を補強する補強部６６とを備えるから、合成樹脂製の一側及び他側ケース本体２，３を被り、頭部を保護することができ、補強部６６によりヒンジ部４を補強して衝撃に強い帽子が得られる。そして、ケース１を閉じると薄型になり、鞄に収納したり、書類と一緒に携帯したりするのに適したものとなる。
【００７１】
尚、他の全ての実施例において、補強部６６を設けることができる。
【実施例３】
【００７２】
図１４〜図１６は、本発明の実施例３を示し、上記各実施例と同一部分に同一符号を付し、その詳細な説明を省略して詳述する。この例の頭部保護具は、切欠き部のないケース１を用い、このケース１の一側及び他側ケース本体２，３内には、透明シートなどからなるポケット７１，７１が設けられ、このポケット７１はヒンジ部４側が開口すると共に、反ヒンジ部４側が閉塞しており、一側及び他側ケース本体２，３の一方のポケット７１に前記クッション材２１を収納している。この例では、クッション材２１は主板部１１と略相似型の長方形形状をなし、ポケット７１にクッション材２１を収納した状態で、クッション材２１に重ね合わせるようにしてＡ４サイズの書類をポケット７１に収納することができ、また、他方のポケット７１にもＡ４サイズの書類を収納することができる。また、クッション材２１の上面には、前後左右に一方の面ファスナ７２，７２，７２，７２を設け、これら面ファスナ７２，７２，７２，７２に係脱可能な他方の面ファスナ７２Ａ，７２Ａ，７２Ａ，７２Ａをケース１に設け、この例では、一側及び他側ケース本体２，３の主板部１１，１１の内面に、それぞれ左右の面ファスナ７２Ａ，７２Ａを設けている。尚、前記面ファスナ７２，７２Ａにより、ケース１にクッション材２１を着脱可能に設ける着脱手段である。
【００７３】
また、前記一側及び他側ケース本体２，３の内面には、把持部が設けられ、この把持部は把持バンド７４により構成される。そして、前記ポケット７１には、間隔を置いて、両側にそれぞれ一対の切り込み部７７，７７Ａを設けると共に、前記把持バンド７４の一定幅のバンド本体７４Ａの両端には該バンド本体７４Ａより幅広な幅広係止部７４Ｂ，７４Ｂを設け、前記切り込み部７７，７７Ａ間において、バンド本体７４Ａの両側をポケット７１，７２の内面に挿通し、外側の切り込み部７７Ａの外側に余長部となるバンド本体７４Ａの部分と前記幅広係止部７４Ｂとを配置する。したがって、バンド本体７４Ａの中央をポケット７１から離すように引っ張ると、幅広係止部７４Ｂ，７４Ｂが切り込み部７７Ａ，７７Ａに係止するまでバンド本体７４Ａが伸び、これを把持することができる。
【００７４】
尚、外装バンド７５を用いる場合は、この外装バンド７５を挟んだ両側にそれぞれ把持バンド７４，７４を設ければ、外装バンド７５が邪魔になることなく、把持バンド７４を把持することができる。また、把持バンド７４を長手方向の側板部１２Ｌの外面に取付けてもよく、さらに、この場合は、把持バンド７４に変えて、他のベルトを側板部１２Ｌに挿通し、そのベルトの両端を適宜箇所に固定し、そのベルトを把持するようにしてもよいし、ベルトの両端部を側板部１２Ｌに固定して使用してもよい。さらに、図１５に図示した長さより、把持バンド７４の長さを長手方向の側板部１２Ｌの長さに近づけるように長く構成し、且つ切り込み部７７，７７Ａも両側に移動すれば、把持バンド７４の把持部分を長くすることができる。
【００７５】
さらに、頭部保護具は、顎用バンドとロック手段とを兼用する外装バンド７５を備え、この外装バンド７５は、伸縮性を有する弾性帯からなる。そして、前記外装バンド７５の基端を、一方のケース本体である一側ケース本体２の外面に固定し、その外装バンド７５の先端７５Ｓの内面に、係脱手段たる一方の面ファスナ７６Ａを設け、外装バンド７５は、ケース１の外周に一巻きして面ファスナ７６，７６Ａが係止する長さを有する。また、他側ケース本体３の外面に、装着用の面ファスナ７６Ｂを設け、この面ファスナ７６Ｂには前記面ファスナ７６Ａが係脱自在に連結される。
【００７６】
そして、組み立て時には、面ファスナ７６，７６Ａの係止を解除し、一側及び他側ケース本体２，３を略９０度に開き、ポケット７１内から取り出したクッション材２１を、面ファスナ７２，７２Ａの係止によりヒンジ部４の内側に配置し、クッション材２１と頭頂部に当てるようにしてケース１を被る。この場合、ヒンジ部４が前後方向に向くようにして一側及び他側ケース本体２，３を左右にして被り、外装バンド７５を顎に巻いて、面ファスナ７６Ａ，７６Ｂを係止する。この場合、左右の把持バンド７４，７４を把持して保持してもよい。
【００７７】
また、この例では、一側及び他側ケース本体２，３にポケット７１をそれぞれ設け、ポケット７１の開口部７１Ｋが、ケース１の開口側と異なるヒンジ部４側に開口しているから、クッション材２１を安定して保持できると共に、ポケット７１からヒンジ部４側に引き出して簡便にヒンジ部４の内側に配置することができる。尚、図示しないが補強部１５，６６の少なくとも一方が設けられている。
【００７８】
このように本実施例では、上記各実施例と同様な作用・効果を奏する。また、ポケット７１は開口部７１Ｋがヒンジ部４側に位置し、ケース１を頭部に被った状態で、開口部７１Ｋが上側となるから、書類を入れたまま被ることができ、その収納した紙類の書類によりクッション性が得られる。
【００７９】
また、この例では、請求項４に対応して、開成状態のケース１の内面に、着脱手段たる面ファスナ７２，７２Ａによりクッション材２１を着脱可能に設け、閉成状態のケース１内にクッション材２１が収納可能であるから、面ファスナ７２，７２Ａによりケース１の内面にクッション材２１を取り付けて被ることができ、また、外したクッション材２１を収納した状態で、鞄に収納したり、書類と一緒に携帯したりできる。
【実施例４】
【００８０】
図１７は、本発明の実施例４を示し、上記各実施例と同一部分に同一符号を付し、その詳細な説明を省略して詳述する。この例の頭部保護具は、４本の顎用バンド８１，８１，８１，８１の一端をケース１に着脱手段８２により着脱可能に設けている。前記着脱手段８２としては、面ファスナ，ホック，ボタンなどを用いることができる。そして、顎用バンド８１，８１，８１，８１は、挿通部たる挿通孔８３，８３，８３，８３に挿通され、隣り合って対をなす顎用バンド８１，８１の他端が連結部３６により連結されている。尚、前記挿通孔８３，８３，８３，８３は、前記クッション材２１の前後左右に形成され、前記顎用バンド８１が帯状をなすのに対して、挿通孔８３は、顎用バンド８１の幅に比べて長い切込みにより形成されている。尚、この例のクッション材２１は、点対称の形状のものが好ましく、この例では略正方形である。
【００８１】
また、顎用バンド８１，８１，８１，８１には、係止部たる重ね合わせ連結部８４がそれぞれ設けられており、この重ね合わせ連結部８４においてバンド８１が重ねて合わせて縫着されることにより、その重ね合わせ連結部８４が挿通孔８３を通過しないよう該挿通孔８３に係止するようになっており、この重ね合わせ連結部８４が前記挿通孔８３に係止する位置で、クッション材２１が前記ケース１内に収納される。
【００８２】
さらに、前記連結部３６，３６間には、顎に係止する係止バンド８５が連結され、この係止バンド８５の途中には、相互に連結及び連結解除可能な雄，雌連結具８６，８６Ａが設けられ、それら雄，雌連結具８６，８６Ａは合成樹脂からなる。
【００８３】
次に、前記頭部保護具の使用方法について説明する。この例の頭部保護具は、ヒンジ部４を左右方向又は前後方向にして装着することができ、図１７では、係止バンド８５がヒンジ部４と交差するように顎用バンド８１の一端をケース１に連結しているから、ヒンジ部４が前後方向になるようにケース１を被り、左右の顎用バンド８１，８１の間に耳が入るように配置し、顎の下で連結具８６，８６Ａを連結して装着することができる。
【００８４】
一方、図１７の状態からクッション材２１を９０度回転した状態で、顎用バンド８１の一端をケース１に連結すれば、ヒンジ部４が左右方向になるようにしてケース１を頭部に装着することができる。
【００８５】
このように本実施例でも、上記各実施例と同様な作用・効果を奏する。
【００８６】
また、この例では、請求項４に対応して、開成状態のケース１の内面に、着脱手段８２によりクッション材２１を着脱可能に設け、閉成状態のケース１内にクッション材２１が収納可能であるから、着脱手段８２によりケース１の内面にクッション材２１を取り付けて被ることができ、また、外したクッション材２１を収納した状態で、鞄に収納したり、書類と一緒に携帯したりできる。
【実施例５】
【００８７】
図１８〜図１９は、本発明の実施例５を示し、上記各実施例と同一部分に同一符号を付し、その詳細な説明を省略して詳述する。この例は、角部及び切欠き部覆い部材の変形例を示し、一側及び他側ケース本体２，３の角部にはそれぞれ折り曲げ可能な薄肉部からなる折曲げ線部９１をそれぞれ形成する。また、一方のケース本体である一側ケース本体２の角部９２の外面には、一方の係脱手段たる雄ホック９３を複数設け、他方である他側ケース本体２の角部９２Ａの内面には、他方の係脱手段たる雌ホック９３Ａを設け、一側及び他側ケース本体２，３を略９０度に開いた状態で、角部９２に角部９２Ａを重ね合わせ、雄，雌ホック９３，９３Ａを係止することにより、それら角部９２，９２Ａが切欠き部の覆い部材となる。
【００８８】
このように本実施例においても、上記各実施例と同様な作用・効果を奏する。
【実施例６】
【００８９】
図２０は、本発明の実施例６を示し、上記各実施例と同一部分に同一符号を付し、その詳細な説明を省略して詳述する。この例は、顎用バンドの変形例を示し、点対称な形状を有する前記クッション材２１の四方に、挿通部たる挿通孔１０１を穿設し、無端で輪状の顎用バンド１０２の四方の輪部１０２Ｗ，１０２Ｗ，１０２Ｗ，１０２Ｗをクッション材２１の下面から各挿通孔１０１，１０１，１０１，１０１に挿通し、上面側に挿通した輪部１０２Ｗにそれぞれ一方の係脱手段の構成する輪体１０３を設け、この輪体１０３はケース１の内面に設けた他方の係脱手段（図示せず）に着脱可能に連結される。尚、輪体１０３をケース１に固定してもよい。
【００９０】
そして、クッション材２１の下面に位置する顎用バンド１０２の前後部分１０２Ａ，１０２Ａを引っ張ると、輪部１０２Ｗが縮小し、前後部分１０２Ａ，１０２Ａが伸び、この延びた前後部分１０２Ａ，１０２Ａを顎の下に掛けて装着することができる。或いはクッション材２１の下面に位置する顎用バンド１０２の左右部分１０２Ｂ，１０２Ｂを引っ張ると、輪部１０２Ｗが縮小し、左右部分１０２Ｂ，１０２Ｂが伸び、この延びた左右部分１０２Ｂ，１０２Ｂを耳に掛けたり、これら左右部分１０２Ｂ，１０２Ｂの下部を横方向のベルトで連結し、このベルトを顎の下に掛けたりして装着することができる。
【００９１】
このように本実施例でも、上記各実施例と同様な作用・効果を奏し、また、この例では、請求項４に対応して、開成状態のケース１の内面に、着脱手段たる輪体１０３によりクッション材２１を着脱可能に設け、閉成状態のケース１内にクッション材２１が収納可能であるから、着脱手段たる輪体１０３によりケース１の内面にクッション材２１を取り付けて被ることができ、また、外したクッション材２１を収納した状態で、鞄に収納したり、書類と一緒に携帯したりできる。
【実施例７】
【００９２】
図２１は、本発明の実施例７を示し、上記各実施例と同一部分に同一符号を付し、その詳細な説明を省略して詳述する。この例の頭部保護具は、上記実施例３に比べて、ポケット７１の開口部７１Ｋをヒンジ部４の近くまで延設し、そのポケット７１の外面に前記面ファスナ７２Ａ，７２Ａを取付けている。
【００９３】
したがって、ポケット７１の内部に面ファスナを設ける必要がなく、ポケット７１の収納性が向上する
このように本実施例では、上記各実施例と同様な作用・効果を奏する。
【００９４】
尚、本考案は、本実施例に限定されるものではなく、本考案の要旨の範囲内で種々の変形実施が可能である。例えば、補強部の取付方法は適宜選定可能であり、嵌合固定以外にも補強部を接着などにケースに取り付けてもよい。また、着脱手段及び係脱手段は各種のものを用いることができる。また、全ての実施例において、ケースには少なくとも外側の補強部が設けられており、この外側の補強部と共に内側の補強部を設けるようにしてもよい。さらに、ケースは携帯性を考慮すると、Ｂ４サイズ以下が好ましい。さらに、請求項１には含まれないが、内側のみに補強部を設けてもよい。
【符号の説明】
【００９５】
１  ケース
２  一側ケース
３  他側ケース
４  ヒンジ部
１５  補強部
２１  クッション材
３１L，３１Ｒ  前左右の顎用バンド（一側左右の顎用バンド）
３２L，３２Ｒ  後左右の顎用バンド（他側左右の顎用バンド）
３３Ｌ，３３Ｒ  前左右の挿通孔（一側左右の挿通部）
３４Ｌ，３４Ｒ  後左右の挿通孔（他側左右の挿通部）
３５  顎当て
３６Ｆ  連結部（前）
３６Ｂ  連結部（後）
３８  結び目（係止部）
４４  頭部用バンド
４５  面ファスナ（一方の係脱手段）
４５Ａ  面ファスナ（他方の係脱手段）
４５´  面ファスナ（ケース側係脱手段）
４５Ａ´  面ファスナ（ケース側係脱手段）
５２  切欠き部
５３  切欠き部
５４  ヒンジ部
５５  切欠き部用覆い部材
６４  飛散防止用シート
６５  クッション層
６６  内側補強部
７２  一方の面ファスナ（クッション材側面ファスナ：着脱手段）
７２Ａ  他方の面ファスナ（ケース側面ファスナ：着脱手段）
７４  把持バンド（把持部）
７５  外装バンド（顎用バンド）
８１  顎用バンド
８２  着脱手段
８３  挿通孔（挿通部）
８４  重ね合わせ連結部（係止部）
８５  係止バンド（顎用バンド）
８６，８６Ａ  雄，雌連結具
９１  折曲げ線部
９２  角部（切欠き部用覆い部材）
９２Ａ  角部（切欠き部用覆い部材）
９３  雄ホック（着脱手段）
９３Ａ  雌ホック（着脱手段）
１０１  挿通孔（挿通部）
１０２  顎用ベルト
１０３  輪体（着脱手段）
【図１】
0003176826.tif 000003
【図２】
0003176826.tif 000004
【図３】
0003176826.tif 000005
【図４】
0003176826.tif 000006
【図５】
0003176826.tif 000007
【図６】
0003176826.tif 000008
【図７】
0003176826.tif 000009
【図８】
0003176826.tif 000010
【図９】
0003176826.tif 000011
【図１０】
0003176826.tif 000012
【図１１】
0003176826.tif 000013
【図１２】
0003176826.tif 000014
【図１３】
0003176826.tif 000015
【図１４】
0003176826.tif 000016
【図１５】
0003176826.tif 000017
【図１６】
0003176826.tif 000018
【図１７】
0003176826.tif 000019
【図１８】
0003176826.tif 000020
【図１９】
0003176826.tif 000021
【図２０】
0003176826.tif 000022
【図２１】
0003176826.tif 000023